(57)【要約】      （修正有）【課題】日常的に、簡単に使い易く、装着しても違和感なく、かかとの皮膚表層を保護できる薄くて、心地よい素材で、かかと部分を包み込む保護用具を提供する。【解決手段】着色顔料配合のミラブル型シリコーンゴム材質からなる靴下の足先部分を切取ったかかとを包み込む形状である。ミラブル型シリコーンゴム原料には、トルマリン、ゲルマニウムなどのマイナスイオンを放出する鉱物の微細粉末の混合、もしくはグルコサミン、ヒアルロン酸を混合する。【選択図】図１
0003163982.tif 000002
【実用新案登録請求の範囲】
【請求項１】
着色顔料配合のミラブル型シリコーンゴム材質からなる靴下の足先部分を切取ったかかとを包み込む形状であることを特徴としたかかと保護用具。
【請求項２】
ミラブル型シリコーンゴム原料にトルマリン、ゲルマニウムなどのマイナスイオンを放出する鉱物の微細粉末の混合、もしくはグルコサミン、ヒアルロン酸を混合していることを特徴とした請求項１に記載のかかと保護用具。
【請求項３】
印刷による絵付けを施したことを特徴とした請求項１または請求項２に記載のかかと保護用具。
【考案の詳細な説明】
【技術分野】
【０００１】  本考案はかかとの皮膚表層を保護するための補助用具に関する。
【背景技術】
【０００２】  冬の乾燥期はかかとの皮膚表層が角質化して硬くなり、かかとの皮膚表面がかさかさになったり、さらには、ひび割れするなど多くの人が困っている状況である。特に、女性は前記症状になり易く、かかとの皮膚表面に保湿剤を塗布するとか、あるいは特殊な材質のかかと保護靴下を着用する（例えば、特許文献１参照）など各種防止策が施されている。【０００３】  また、かかとの部位を保温、保湿する布地タイプのサポーターなども色々と商品化されているが、布地のために厚みがあり、かかとの部位に装着したとき違和感があり、長期に使用するには難点がある。【０００４】  かかとは、あまり気に留めることのない部分であるために、かかとの皮膚表層部分に角質化が起りかけても、すぐに気付いて対処する人は少なく、かなりの角質化進行があり、支障がでてから対処する傾向にあり、普段から、かかとの皮膚表層の角質化の防止を心掛けている人は少数であり、常時使用できる適切なかかと保護用具がなかった。
【先行技術文献】
【特許文献】
【０００５】
【特許文献１】特許第２８１３３０５号  かかと保護靴下
【考案の概要】
【考案が解決しようとする課題】
【０００６】  日常的に、簡単に使い易く、装着しても違和感なく、かかとの皮膚表層を保護できる薄くて、心地よい素材で、かかと部分を包み込む保護用具を考案することにある。【０００７】  本考案は、かかとの皮膚表層を直接角質化防止する機能を付与させたものではなく、かかとの皮膚表面に保湿剤を塗布した時に保湿剤が皮膚表面に長く留まり、保湿効果が有効に作用させるための補助を目的とした保護用具の提供にある。【０００８】  また、本考案は、保湿効果などの機能を付与した布地やシートをかかとに固定するための用具でもあり、前記布地やシートをかかとに装着して、歩行する時や寝る時などに位置ずれや脱落させないためのかかと保護用具の提供にある。【０００９】  本考案においては、伸縮自在の薄くて、弾力性のあるゴム材質を使用し、かかとに装着しやすく、装着後も違和感なく、長期使用が可能で、洗浄して繰り返し使用できるかかと保護用具を開発することを課題とした。
【課題を解決するための手段】
【００１０】  ミラブル型シリコーンゴムの伸縮自在の弾力性に着目して、かかとの皮膚表面にピッタリ密着できるように薄膜状の成形品を作製し、かかとの皮膚表面に塗布した保湿剤が他の部分に付着、移行を防止すると同時に、塗布した薬効の効果を高める作用をするようなかかと保護用具を考案することにより課題解決の手段とした。【００１１】  本考案は、ミラブル型シリコーンゴム材質とし、靴下の足先部分を切取ったかかと全体を包み込むような形状とし、全体を薄膜状にして、かかとに装着し易く、装着後も違和感がでないようなかかと保護用具の提供である。【００１２】  本考案は、ミラブル型シリコーンゴムが塵埃や汚れが付着し難く、仮に、汚れた場合でも簡単に洗い落すことが可能で、常に清潔に保つことができる非粘着性を利用したかかと保護用具で、さらには、ミラブル型シリコーンゴムに抗菌剤を混合することによりさらに清浄性を保持することができるかかと保護用具の提供である。【００１３】  本考案のかかと保護用具は、かかと部分を含め足首部分全体をピッタリ密着するように設計しているので、かかと保護の妨げにならない箇所に通気孔を設けて、かかと保護用具を装着した場合不快感がでないように考慮している。【００１４】  本考案のかかと保護用具のミラブル型シリコーンゴム原料にはゲルマニウム、トルマリンなどのマイナスイオンを放出する鉱物の微細粉末を混合、あるいはグルコサミン、ヒアルロン酸を混合して、足首部分の血行を良くする効果を促進するかかと保護用具の提供にある。【００１５】  本考案のかかと保護用具に使用するミラブル型シリコーンゴム原料には着色顔料を混合することが可能で、色々な色調の選択肢があり、また、かかと保護用具成形後の成形品の表面に印刷することが可能で、いろいろな外観デザインのかかと保護用具が提供できる。
【考案の効果】
【００１６】  本考案のかかと保護用具は、薄膜状のミラブル型シリコーン材質であるから伸縮自在で、装着が簡単で装着後も違和感なく、使用可能であり、かかとの皮膚表層が角質化しやすい人が保湿剤の塗布後に使い易い保護用具であり、かかとの皮膚表層の角質化の予防と角質化の進行によるひび割れなどについての治癒に効果を上げることができる。【００１７】  本考案のかかと保護用具はかかとに保温、保湿効果を付与した布地やシートを簡単に装着することが可能で、ミラブル型シリコーンゴムが持つ弾力性で前記布地やシートをしっかりとかかと部分に密着させて、歩行時や就寝中に位置ずれ、あるいは脱落しないよう固定することができる。【００１８】  本考案のかかと保護用具に使用のミラブル型シリコーンゴムは耐候性に優れており、常に初期状態の弾力性を保持しており、長期間使用していても変質することなくかかと部分の密着度の変化のないかかと保護用具である。【００１９】  本考案のかかと保護用具の色調や印刷を施すことができ、人それぞれの好みに合せたデザインを提供することも可能で、長い間使用していても馴染み易いかかと保護用具である。【００２０】  また、本考案のかかと保護用具には、人体には優しい安全な材質であるミラブル型シリコーンゴムを使用しており、さらには、ミラブル型シリコーンゴムには非粘着性があり、塵埃など付着しにくい材質で汚れても簡単に汚れが除去できて、常に清潔な状態で使用可能で、かかと装着には安心なかかと保護用具である。
【図面の簡単な説明】
【００２１】
【図１】  本考案のかかと保護用具の見取り図
【図２】  本考案のかかと保護用具を足に装着例の見取り図
【考案を実施するための形態】
【００２２】  本考案を実施するための形態として具体的な実施例１および実施例２により説明する。
【実施例１】
【００２３】  図１に示すように、かかと保護用具１の製作については、あらかじめ靴下の先半分以上を切取ったかかとを包み込むような形状の成形金型を用意して、前記金型を装着した直圧式射出成形機に、ミラブル型シリコーンゴムを流し込んで加熱加圧して、かかと保護用具の成形品の製作を実施した。【００２４】  また、図１に示すようにかかと保護用具１の全体の厚みは０．５ｍｍ±０．１ｍｍとし、足の関節部分に通気孔２を設けて、かかと保護具の上部周囲３、通気孔２の周囲４および足中央部周囲５のそれぞれ端部５ｍｍ部分の厚みを１．２ｍｍとして前記周囲端部を補強した形状で、足の大きさ寸法２５．０ｃｍに想定した設計金型で実施した。【００２５】  本考案のかかと保護用具１製作については、ミラブル型シリコーンゴム原料にピンク色の着色顔料を混合して、ピンク色のきれいなかかと保護用具を製作することができ、図２に示すように、かかとに装着したところピッタリ感のある心地良いかかと保護用具とすることができた。
【実施例２】
【００２６】  本考案のかかと保護用具１を製作については、実施例１に使用した同じ金型と成形機を使用して成形するが、ミラブル型シリコーンゴム原料に薄ブルー色の顔料とトルマリンの微粉末０．５％を混合して、薄ブルー色のマイナスイオンを放出するかかと保護用具１を製作することができた。
【符号の説明】
【００２７】１  かかと保護用具
２  通気孔
３  かかと保護用具の上部周囲
４  通気孔の周囲
５  かかと保護用具の足中央部周囲
【図１】
0003163982.tif 000003
【図２】
0003163982.tif 000004